(57)【要約】【課題】誤操作の防止機能を備えた携帯型情報処理装置の操作性を向上させる。【解決手段】スマートフォン１は、タッチパネルを備えた本体と、本体の側面に設けられ、ユーザの操作を検出する側面センサとを備え、タッチパネルを介したユーザのタッチ操作が、特定の操作であるかどうかを判定し（Ｓ２）、特定の操作である場合に、上記側面センサの動作を無効に制御する（Ｓ５）。【選択図】図１
2014016838.tif 000002
【特許請求の範囲】
【請求項１】
タッチパネルを備えた本体と、
上記本体の側面に設けられ、ユーザの操作を検出する側面センサと、
上記タッチパネルを介したユーザのタッチ操作を検出し、当該タッチ操作が、特定の操作であるかどうかを判定する判定部と、
当該タッチ操作が特定の操作であると上記判定部が判定した結果に応じて、上記側面センサの動作を無効とする制御部とを備えていること
を特徴とする携帯型情報処理装置。
【請求項２】
上記タッチ操作が特定の操作であり、特定の操作が行われたと上記判定部が判定した時刻から計時を開始するタイマ部をさらに備え、
上記制御部は、上記タイマ部の計時時間が基準時間を超えるまで、上記側面センサの動作を無効とすること
を特徴とする請求項１に記載の携帯型情報処理装置。
【請求項３】
上記タッチパネルを介したユーザ操作の種類と、特定の操作に該当するかしないかを示す情報とを対応づけた関係情報を記憶した記憶部をさらに備えたこと
を特徴とする請求項１または２に記載の携帯型情報処理装置。
【請求項４】
上記携帯型情報処理装置は、上記タッチパネルを介したタッチ操作と、上記側面センサを介した操作とを、ユーザが片手で行うことが可能なサイズを有していること
を特徴とする請求項１から３のいずれか１項に記載の携帯型情報処理装置。
【請求項５】
タッチパネルを備えた本体と、上記本体の側面に設けられ、ユーザの操作を検出する側面センサとを備えた携帯型情報処理装置の動作を制御する情報処理プログラムであって、
上記タッチパネルを介したユーザのタッチ操作を検出し、当該タッチ操作が、特定の操作であるかどうかを判定する判定部と、
当該タッチ操作が特定の操作であると上記判定部が判定した結果に応じて、上記側面センサの動作を無効とする制御部として、コンピュータを機能させること
を特徴とする情報処理プログラム。
【請求項６】
請求項５に記載の情報処理プログラムを記録したコンピュータ読取可能な記録媒体。
【発明の詳細な説明】
【技術分野】
【０００１】
本発明は、携帯型情報処理装置の誤動作防止制御に関する。
【背景技術】
【０００２】
近年、ハードウェア的なキーをほとんど持たず、もっぱら画面上のアイコンやソフトウェアキーボードをタッチすることによって主要な操作が行えるタッチパネルを備えた携帯型情報処理装置が普及している。スマートフォンまたは電子書籍リーダーなどに代表される、このような携帯型情報処理装置では、タッチパネルが、主たる動作の入力指示を行う主操作部として機能する。
【０００３】
また、折り畳み式の筐体またはスライド式の筐体を備えた従来の携帯電話機などでは、画面と並んで配置された主操作部としてのキー入力部とは別に、操作の利便性を図るため、筐体の側部にサイドキー等の補助操作部を設けた機種も多く流通している。サイドキーは、例えば、利用頻度の多い操作を簡易化して処理可能にした簡易入力部として機能する。
【０００４】
しかしながら、タッチパネルおよびサイドキーは、ユーザの入力操作を簡便にすることができ便利ではあるが、ユーザが意図せずにタッチパネルまたはサイドキーに触れた場合、誤動作を誘発することがある。
【０００５】
したがって、近年の携帯型情報処理装置の多くは、タッチパネルまたはサイドキーを介した入力操作が不要なときには、当該入力操作を行えないようにするロック機能を備えている。
【０００６】
下掲の特許文献１には、タッチパネルと組み合わせたディスプレイを２組備えた携帯電話機において、一方のタッチパネルを操作しようとした際に、他方のタッチパネルに誤って触れてしまい、誤動作が生じるおそれを防止する技術が開示されている。
【０００７】
より具体的には、２つのディスプレイのそれぞれに、スリープキーと呼ぶソフトキー（アイコン）を表示し、ユーザが、操作を行わないディスプレイのスリープキーを押すと、スリープモードが設定される。すなわち、そのディスプレイを介したタッチ操作が受け付けられなくなる。
【０００８】
なお、ユーザがスリープキーをもう一度押すと、上記スリープモードが解除されるようになっている。
【０００９】
また、下掲の特許文献２には、補助操作部を有する携帯通信端末において、補助操作部の操作利便性を高く保持した状態で、誤動作を確実に防止することができる携帯通信端末を提供する技術が記載されている。
【００１０】
より具体的には、携帯通信端末は、上記補助操作部としてのサイドキーからのキー入力操作により選択可能な予め数パターンのキーロック設定情報が格納された記憶部を備えている。例えば、他端末より通話呼出着信があった場合、上記キーロック設定情報を参照して、サイドキーのロックを自動解除する一方、他端末よりメール情報着信があった場合には、サイドキーのロックを継続する制御が行われる。
【００１１】
通話の場合には、終話すると画面表示が待ち受け画面に戻るとともに、サイドキーをロック状態に復帰させる。
【００１２】
なお、サイドキーのキーロックをユーザが起動するためには、サイドキーなどをユーザが操作する。また、通話呼出着信に応じて、サイドキーのロックを自動解除する形態のほかに、サイドキーとは別に設けたタッチキーを、通話呼出着信の際に操作することによって、サイドキーのロックを解除する。
【先行技術文献】
【特許文献】
【００１３】
【特許文献１】特開２０１１−９７１２８号公報（２０１１年５月１２日公開）
【特許文献２】特開２００４−３２８５７３号公報（２００４年１１月１８日公開）
【発明の概要】
【発明が解決しようとする課題】
【００１４】
しかしながら、特許文献１および２に記載された技術では、ユーザがタッチパネルを介して携帯型情報処理装置を操作するときに、使用しないタッチパネルまたは使用しないサイドキーによる誤操作を防止する必要があるときには、ロックの起動に関する指示をユーザが入力する操作を必要としている。
【００１５】
また、ロックされたタッチパネルまたはロックされたサイドキーを使用できるようにするためにも、ロックの解除に関する指示をユーザが入力する操作を必要としている。
【００１６】
したがって、上記従来の技術では、誤操作の防止機能を備えた携帯型情報処理装置の操作性が良くないという問題がある。
【００１７】
本発明は、上記の問題に鑑みて、誤操作の防止機能を備えた携帯型情報処理装置の操作性を向上させることを目的とする。
【課題を解決するための手段】
【００１８】
上記の課題を解決するために、本発明に係る携帯型情報処理装置は、
(1)タッチパネルを備えた本体と、
(2)上記本体の側面に設けられ、ユーザの操作を検出する側面センサと、
(3)上記タッチパネルを介したユーザのタッチ操作を検出し、当該タッチ操作が、特定の操作であるかどうかを判定する判定部と、
(4)当該タッチ操作が特定の操作であると上記判定部が判定した結果に応じて、上記側面センサの動作を無効とする制御部とを備えていることを特徴としている。
【００１９】
上記の構成によれば、本発明に係る携帯型情報処理装置では、ユーザがタッチパネルを介して特定の操作を行ったときに、その特定の操作が判定部によって検出され、側面センサが動作しないように、制御部によって制御される。
【００２０】
したがって、上記特定の操作は、側面センサの動作を無効にする必要がある操作であると決めておくなら、必要なときに、ユーザの入力操作を経ることなく、自動的に側面センサの動作を無効にすることができる。また、特定の操作に該当しない操作を、ユーザがタッチパネルに対して行った場合には、側面センサの動作は無効とされない。
【００２１】
これにより、必要に応じた側面センサのロックを簡易化することによって、携帯型情報処理装置の操作性を高めることができる。
【００２２】
本発明に係る携帯型情報処理装置は、
(1)上記タッチ操作が特定の操作であり、特定の操作が行われたと上記判定部が判定した時刻から計時を開始するタイマ部をさらに備え、
(2)上記制御部は、上記タイマ部の計時時間が基準時間を超えるまで、上記側面センサの動作を無効とすることを特徴としている。
【００２３】
タッチパネルに対する上記特定の操作は、単発的に行われるとは限らない。つまり、タッチパネルに対して、同じ種類の特定の操作、または異なる種類の特定の操作が、わずかな時間間隔を置いて、複数回なされることによって、携帯型情報処理装置に特定の指示を与える場合もある。
【００２４】
このような一連の特定の操作がなされている間は、側面センサの動作を無効化しておくことが、側面センサの誤操作を防止するために望ましい。
【００２５】
上記の構成によれば、特定の操作が行われたことを上記判定部が判定した時刻から基準時間が経過するまでは、側面センサがロックされ、上記時刻から基準時間が経過すると、側面センサのロックが解除される。
【００２６】
したがって、一連の特定の操作がなされている間は、側面センサの動作を無効化しておくことができる。特に、連続的な一連の特定の操作同士の間には、短時間のインターバルが介在するので、少なくとも、上記基準時間をこのインターバルに等しく設定すればよい。
【００２７】
本発明に係る携帯型情報処理装置は、上記タッチパネルを介したユーザ操作の種類と、特定の操作に該当するかしないかを示す情報とを対応づけた関係情報を記憶した記憶部をさらに備えたことを特徴としている。
【００２８】
上記の構成によれば、上記判定部は、記憶部に記憶された関係情報を参照することによって、ユーザのタッチ操作が特定の操作であるかどうかを判定することができる。
【００２９】
本発明に係る携帯型情報処理装置は、上記タッチパネルを介したタッチ操作と、上記側面センサを介した操作とを、ユーザが片手で行うことが可能なサイズを有していることを特徴としている。
【００３０】
上記のサイズによれば、例えば、ユーザが片手で携帯型情報処理装置を保持しながら、その片手の親指を用いて上記タッチ操作を行ったり、側面センサを操作することができる。
【００３１】
このような使用形態において、親指を用いたタッチ操作が特定の操作である場合には、側面センサがロックされるので、親指の動きに連動して手のひらが側面センサを意図せずして操作してしまうことに起因した誤操作を効果的に防止することができる。
【００３２】
本発明に係る情報処理プログラムは、
(1)タッチパネルを備えた本体と、上記本体の側面に設けられ、ユーザの操作を検出する側面センサとを備えた携帯型情報処理装置の動作を制御する情報処理プログラムであって、
(2)上記タッチパネルを介したユーザのタッチ操作を検出し、当該タッチ操作が、特定の操作であるかどうかを判定する判定部と、
(3)当該タッチ操作が特定の操作であると上記判定部が判定した結果に応じて、上記側面センサの動作を無効とする制御部として、コンピュータを機能させることを特徴としている。
【００３３】
これにより、既に説明した作用効果を同様に得ることができる。
【００３４】
上記情報処理プログラムを記録したコンピュータ読取可能な記録媒体もまた本発明の範疇に含まれる。
【発明の効果】
【００３５】
本発明に係る携帯型情報処理装置は、タッチパネルを備えた本体と側面センサとを備え、上記タッチパネルを介したユーザのタッチ操作が、特定の操作である場合に、上記側面センサの動作を無効にする制御を行う構成を備えている。
【００３６】
それゆえ、必要に応じた側面センサのロックを簡易化することによって、携帯型情報処理装置の操作性を高めることができるという効果を奏する。
【図面の簡単な説明】
【００３７】
【図１】本発明に係る携帯型情報処理装置に設けられた側面センサのロックおよびアンロックの制御手順の一例を示すフローチャートである。
【図２】上記携帯型情報処理装置の一例であるスマートフォンの概観を示す斜視図である。
【図３】上記スマートフォンに対するユーザ操作を例示する説明図である。
【図４】上記スマートフォンの内部構成の要部を示すブロック図である。
【図５】タッチパネルに対するユーザ操作の種類と、側面センサのロック制御の状態との対応関係を示す図である。
【図６】タッチパネルに対するユーザ操作の一例であるタッチダウンにおいて、ユーザの指の動きを示す説明図である。
【図７】タッチパネルに対するユーザ操作の他の例であるドラッグにおいて、ユーザの指の動きを示す説明図である。
【発明を実施するための形態】
【００３８】
本発明の携帯型情報処理装置に関する実施の一形態について図１〜図７に基づいて説明すれば以下のとおりである。
【００３９】
（携帯型情報処理装置の外観上の構成）
図２は、本発明に係る携帯型情報処理装置の一例であるスマートフォン１の概観を示す斜視図である。図２に示すように、スマートフォン１は、タッチパネルを備えた本体２と、本体２の側面に設けられ、操作の利便性を図る補助操作部としての側面センサ３とを備えている。
【００４０】
側面センサ３は、ユーザーのタッチ操作を検出するタッチセンサとして構成され、側面センサ３を介してユーザは利用頻度の多い処理を指示することができる。また、側面センサ３は、複数のセンサ部３ａを備え、当該複数のセンサ部３ａは、上記側面に配列されている。より具体的には、センサ部３ａは、例えば静電容量方式のタッチセンサを構成する電極であり、上記側面の内部に埋設されている。
【００４１】
したがって、センサ部３ａは、上記側面に露出しているわけではないので、センサ部３ａの存在がユーザーに分かるように、側面のケース部材がデザインされている。例えば、ケース部材の色とは異なる色を用いて、センサ部３ａの位置を示すマークをケース部材に付けたり、センサ部３ａに対応するように、ケース部材に局所的なざらつきを持たせたりすればよい。
【００４２】
（ユーザ操作例）
本実施形態に係る携帯型情報処理装置は、上記タッチパネルを介したタッチ操作と、上記側面センサ３を介した操作とを、ユーザが片手で行うことが可能なサイズを有している。
【００４３】
図３は、上記スマートフォン１に対するユーザ操作を例示する説明図である。図３に示すように、上記のサイズによれば、例えば、ユーザが片手（図３では右手）でスマートフォン１を保持しながら、その片手の親指を用いて上記タッチ操作を行い、手のひら等を用いて側面センサ３を操作することができる。
【００４４】
例えば、ＬＣＤ１４に表示されたショートカットに親指でタッチし、所望のコンテンツを呼び出すとともに、側面センサ３の複数のセンサ部３ａを指で上から下、または下から上へなぞることによって、ＬＣＤ１４の表示を引き下げたり、引き上げたりできる。
【００４５】
しかしながら、タッチ操作を行っている間、側面センサ３がアンロック状態である場合、タッチ操作の種類によっては、側面センサ３に指が触れると、タッチ操作に悪影響を与えて誤動作を引き起こす場合がある。特に、ユーザが片手でスマートフォン１を保持しながら、その片手の親指を用いて、図３に示すようなスライドタッチ操作を行うと、側面センサ３を手のひら等が連動してタッチ操作してしまいやすい。
【００４６】
また、タッチパネルに対するタッチ操作の種類によっては、側面センサ３に対するタッチ操作と連繋させることによって、より多様な操作を行えるようにする場合もある。
【００４７】
以上の点を考慮すると、側面センサ３のアンロック状態およびロック状態を、必要に応じて適宜変更できるようにし、しかも、アンロック状態およびロック状態間の変更に関するユーザ指示をいちいち入力しなくても済むようにすれば、携帯型情報処理装置の操作性を向上させることができる。
【００４８】
以下では、携帯型情報処理装置の操作性を上記のように向上させることができる構成と制御動作とについて説明する。
【００４９】
（携帯型情報処理装置の内部構成）
図４は、上記スマートフォン１の内部構成の要部を示すブロック図である。図４に示すように、スマートフォン１は、スマートフォン１の各種制御動作に関わる構成として、制御部１０、イベント判定処理部１１（判定部）およびタイマ処理部１２（タイマ部）を備えている。イベント判定処理部１１およびタイマ処理部１２は制御部１０に接続されている。
【００５０】
さらに、制御部１０には、上記側面センサ３、タッチパネル１３、ＬＣＤ（液晶ディスプレイ）１４およびメモリ１５（記憶部、コンピュータ読取可能な記録媒体）が接続されている。なお、説明の便宜上、側面センサ制御回路は側面センサ３に含まれ、タッチパネル制御回路はタッチパネル１３に含まれ、表示ドライバ、バックライトおよびバックライト駆動制御部はＬＣＤ１４に含まれているものとする。
【００５１】
また、タッチパネル１３とＬＣＤ１４とは一体化され、スマートフォン１に実装されている。
【００５２】
制御部１０は、スマートフォン１の動作全体を統括して制御するとともに、イベント判定処理部１１およびタイマ処理部１２と合わせてプロセッサとして構成されている。
【００５３】
タッチパネル１３に指などのポインターが触れると、タッチパネル１３は、ポインターの位置に応じた静電容量または電気抵抗などの変化を示す信号を、タッチパネル制御回路に出力する。タッチパネル制御回路は、タッチパネル１３が出力する信号から、タッチパネル１３に触れたポインターの位置を特定し、その位置を示す座標データを生成して、制御部１０に出力する。
【００５４】
側面センサ３は、前述のように、複数のセンサ部３ａの配列を備えているので、側面センサ３のエリアにおいて指の触れた位置に対応するセンサ部３ａが、静電容量の変化を示す信号を、側面センサー制御回路に出力する。側面センサ制御回路は、センサー部３ａから出力される信号に基づいて、側面センサ３のエリアにおける指の位置を表す位置データを生成して、制御部１０に出力する。
【００５５】
イベント判定処理部１１は、タッチパネル１３を介したユーザのタッチ操作を検出し、当該タッチ操作が、後述する特定の操作であるかどうかを判定する。イベント判定処理部１１による判定結果は、制御部１０に出力される。
【００５６】
タイマ処理部１２は、上記タッチ操作が特定の操作であるとイベント判定処理部１１が判定した時刻から計時を開始し、計測時間が基準時間を超えたときに、そのことを示す信号を制御部１０へ出力する。
【００５７】
メモリ１５は、ＲＯＭまたはフラッシュメモリのような非一時的記憶領域と、ＲＡＭのような一時的記憶領域とを含んでいる。非一時的記憶領域には、スマートフォン１の動作を制御する各種のプログラムおよび書き換えが不要な固定的な各種データが記憶されているとともに、スマートフォン１において表示ないし出力される文字、画像、音声および映像などのコンテンツデータが記録される。上記各種のプログラムには、側面センサ３のロックを有効にするプログラムと、そのロックを解除するプログラムとが含まれている。
【００５８】
また、一時的記憶領域は、制御部１０の作業領域およびバッファ領域として用いられる。
【００５９】
（タッチパネルに対する特定の操作と側面センサのロック制御との関係）
図５は、タッチパネル１３に対するユーザ操作の種類と、側面センサ３のロック制御の状態との対応関係を示す図である。図６は、タッチパネル１３に対するユーザ操作の一例であるタッチダウンにおいて、ユーザの指の動きを示す説明図である。図７は、タッチパネル１３に対するユーザ操作の他の例であるドラッグにおいて、ユーザの指の動きを示す説明図である。図５に示す対応関係はあくまでも一例であり、本発明がこの対応関係に限定されるわけではない。
【００６０】
図５に示す対応関係の場合、概略的には、タッチパネル１３に触れている指がタッチパネル１３の面上を移動する操作（以下、移動操作と呼ぶ）に対して、側面センサ３の操作を無効にしている。なぜなら、図７にタッチ操作としてドラッグの様子を示すように、ユーザが片手でスマートフォン１を保持しながら、その片手の親指などを用いて上記移動操作を行うと、手のひらの一部が連動して側面センサ３に触れ、誤動作を引き起こすおそれがあるからである。
【００６１】
例えば、図５には、５種類のタッチ操作（タッチダウン、タッチアップ、フリック、ドラッグおよびピンチ）を例示している。この中で、上記移動操作に該当するタッチ操作は、フリック、ドラッグおよびピンチの３種類である。
【００６２】
また、移動操作に該当しない操作（以下、非移動操作と呼ぶ）には、上記５種類の中で、タッチダウンおよびタッチアップが該当する。非移動操作の場合には、図６にタッチ操作としてタッチダウンの様子を示すように、親指などでタッチパネルに局部的にタッチするだけなので、手のひらの他の部分が連動しにくい。したがって、側面センサ３をユーザが誤操作するおそれが低い。
【００６３】
このように、タッチ操作の種類を移動操作と非移動操作とに大別し、移動操作を、側面センサ３のロックを要する特定の操作に設定することが好ましい。
【００６４】
また、非移動操作については、側面センサ３をアンロック状態に制御するので、タッチパネル１３をタッチダウンしながら、側面センサ３を操作するといった連繋した操作も可能になる。
【００６５】
なお、タッチ操作の種類と、特定の操作に該当するかしないか、言い換えると、側面センサ３のロックが必要か否かを示す情報とを対応づけた関係情報は、上記メモリ１５に記憶されている。
【００６６】
（画面ロックの制御動作）
以下、スマートフォン１における側面センサ３に対する制御動作について、図１を参照して説明する。
【００６７】
図１は、側面センサ３のロックおよびアンロックの制御手順の一例を示すフローチャートである。
【００６８】
スマートフォン１の動作モードが省電力モードになると、ＬＣＤ１４のバックライトが消灯するとともに、タッチパネル１３を介したユーザー操作を受け付けない画面ロックの状態に遷移する。画面ロックの状態では、制御部１０は電力の供給を受けているが、タッチパネル１３および側面センサ３に対する電圧印加がオフに制御されている。
【００６９】
省電力モードのスマートフォン１に対して、ユーザが、例えば本体２の側面に設けられた電源キーを操作すると、バックライトが点灯するとともに、側面センサ３に電圧が印加され、側面センサ３がオンになる。
【００７０】
この状態では、通常、セキュリティ対策のため、まだ画面ロックが継続しているので、ユーザが画面ロックを解除する操作を行うことによって、タッチパネル１３に対するタッチ操作が可能になる。
【００７１】
この状態から、主として制御部１０による側面センサ３のロックおよびアンロックの制御動作がスタートする。
【００７２】
図１に示すように、側面センサ３およびタッチパネル１３は、ユーザのタッチ操作を受ける（イベントの発生）と、側面センサ３の場合には、側面センサ制御回路が、ユーザのタッチ操作に対応する位置データを生成し、制御部１０へ出力する。一方、タッチパネル１３の場合には、タッチパネル制御回路が、ユーザのタッチ操作に対応する座標データを生成し、制御部１０へ出力する（ステップ１；以下、Ｓ１のように略記）。
【００７３】
次に、制御部１０は、タッチパネル制御回路から受信した上記座標データをイベント判定処理部１１へ送る。イベント判定処理部１１は、タッチパネル１３におけるタッチ操作（イベント）の種類を判別し、タッチパネル１３に対して前述の移動操作（特定の操作）がなされたかどうかを判定する（Ｓ２）。
【００７４】
より具体的には、イベント判定処理部１１は、タッチパネル１３におけるタッチ操作の種類を判別し、メモリ１５に記憶された前記対応関係の情報（図５参照）と照合し、側面センサ３をロックすべきかどうかを判定する。
【００７５】
例えば、Ｓ２において、タッチパネル１３におけるタッチ操作の種類が、非移動操作であるタッチダウンまたはタッチアップである場合、イベント判定処理部１１は、側面センサ３をアンロック状態に維持すべきことを示す信号を生成し、制御部１０に出力する。これにより、制御部１０は、側面センサ３に対する電圧印加を継続させる（Ｓ３）また、制御部１０は、タッチパネル１３に対するタッチダウンまたはタッチアップの操作に対応したアプリケーションプログラムを起動する（Ｓ４）。
【００７６】
一方、Ｓ２において、タッチパネル１３におけるタッチ操作の種類が、移動操作であるフリック、ドラッグまたはピンチである場合、イベント判定処理部１１は、側面センサ３をロック状態にすべきことを示す信号を生成し、制御部１０に出力する。これにより、制御部１０は、側面センサ３に対する電圧印加をオフに制御する（Ｓ５）。また、制御部１０は、タッチパネル１３に対するタッチ操作に対応したアプリケーションプログラムを起動する（Ｓ６）。
【００７７】
なお、移動操作については、例えば、フリック→フリックなどのように、同じ特定の操作が、反復して、複数回繰り返されたり、あるいは、種類の違う特定の操作が組み合わされて、連続的になされたりすることがある。
【００７８】
このため、連続的な特定の操作間のインターバルにおいて、側面センサ３の操作を有効にしてしまうと、側面センサ３に手のひらの一部が触れることにより、誤動作が発生する。この不具合の発生を防止するため、特定の操作後における或る一定の基準時間（例えば、５０ミリ秒）は、側面センサ３のロックを維持する制御を行うことが好ましい。
【００７９】
より具体的には、制御部１０は、イベント判定処理部１１は移動操作を検出し、上記のとおり、側面センサ３をロック状態にすべきことを示す信号を受信すると、タイマ処理部１２を起動し、タイマ処理部１２による計時をスタートさせる。
【００８０】
すなわち、タイマ処理部１２は、タッチ操作として特定の操作が行われたとイベント判定処理部１１が判定した時刻から計時を開始する。タイマ処理部１２は、計測時間と基準時間とを比較し、計測時間が基準時間を超えた場合に、そのことを制御部１０に通知する。
【００８１】
制御部１０は、計測時間が基準時間を超えたという通知をタイマ処理部１２から受信しない限り、側面センサ３のロックを維持する制御を行う（Ｓ７）。
【００８２】
また、制御部１０は、計測時間が基準時間を超えたという通知をタイマ処理部１２から受信した場合には、側面センサ３のロックを解除する制御を行う（Ｓ８）。
【００８３】
なお、上記基準時間を長くし過ぎると、例えばフリックのようなタッチ操作を終了して、次に側面センサ３にタッチして、ＬＣＤ１４の表示を引き上げたりしたい場合に、無用な待ち時間を発生させてしまう。このため、基準時間は、連続的な移動操作間のインターバルとしてスマートフォン１に設定されている時間の上限に等しくすることが好ましい。
【００８４】
最後に、前記Ｓ２において、制御部１０がタッチパネル制御回路から座標データを受信しない場合には、上記Ｓ２〜Ｓ８の処理が実行されないので、制御部１０は、Ｓ３と同様に、側面センサ３に対する電圧印加を継続させ、側面センサ３の有効状態を維持する（Ｓ９）。また、制御部１０は、側面センサ３に対するタッチ操作があった場合に、側面センサ３に対するタッチ操作に対応したアプリケーションプログラムを起動する（Ｓ１０）。
【００８５】
側面センサ３のロック状態に対する以上の制御は、側面センサ３の操作を、タッチパネル１３に対するタッチ操作の種類に応じて、無効に設定したり、それを解除したりするためのユーザ操作を不要にするため、ユーザビリティの観点から利便性を向上させることができる。
【００８６】
（情報処理プログラム）
前記メモリ１５には、図１に示すフローチャートを実現する情報処理プログラムが格納されている。その情報処理プログラムを、例えば、以下のように記述することができる。
(1)タッチパネル１３を備えた本体２と、本体２の側面に設けられ、ユーザの操作を検出する側面センサ３とを備えたスマートフォン１の動作を制御する情報処理プログラムであって、
(2)上記タッチパネルを介したユーザのタッチ操作を検出し、当該タッチ操作が、特定の操作であるかどうかを判定するイベント判定処理部１１と、
(3)当該タッチ操作が特定の操作であるとイベント判定処理部１１が判定した結果に応じて、上記側面センサ３の動作を無効とする制御部１０として、コンピュータを機能させる情報処理プログラム。
【００８７】
（ソフトウェアによる実現例の補足）
最後に、スマートフォン１の各ブロック、特に制御部１０、イベント判定処理部１１およびタイマ処理部１２は、集積回路（ＩＣチップ）上に形成された論理回路によってハードウェア的に実現してもよいし、ＣＰＵ（Central Processing Unit）を用いてソフトウェア的に実現してもよい。
【００８８】
後者の場合、スマートフォン１は、各機能を実現するプログラムの命令を実行するＣＰＵ、上記プログラムを格納したＲＯＭ（Ｒｅａｄ  Ｏｎｌｙ  Ｍｅｍｏｒｙ）、上記プログラムを展開するＲＡＭ（Ｒａｎｄｏｍ  Ａｃｃｅｓｓ  Ｍｅｍｏｒｙ）、上記プログラムおよび各種データを格納するメモリ等の記憶装置（記録媒体）などを備えている。
【００８９】
そして、本発明の目的は、上述した機能を実現するソフトウェアである上記情報処理プログラムのプログラムコード（実行形式プログラム、中間コードプログラム、ソースプログラム）をコンピュータで読み取り可能に記録した記録媒体を、スマートフォン１に供給し、そのコンピュータ（またはＣＰＵやＭＰＵ）が記録媒体に記録されているプログラムコードを読み出し実行することによっても、達成可能である。
【００９０】
上記記録媒体としては、一時的でない有形の媒体（ｎｏｎ−ｔｒａｎｓｉｔｏｒｙ  ｔａｎｇｉｂｌｅ  ｍｅｄｉｕｍ）、例えば、磁気テープやカセットテープ等のテープ類、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク類、ＩＣカード（メモリカードを含む）／光カード等のカード類、マスクＲＯＭ／ＥＰＲＯＭ／ＥＥＰＲＯＭ（登録商標）／フラッシュＲＯＭ等の半導体メモリ類、あるいはＰＬＤ（Ｐｒｏｇｒａｍｍａｂｌｅ  ｌｏｇｉｃ  ｄｅｖｉｃｅ）やＦＰＧＡ（Ｆｉｅｌｄ  Ｐｒｏｇｒａｍｍａｂｌｅ  Ｇａｔｅ  Ａｒｒａｙ）等の論理回路類などを用いることができる。
【００９１】
また、スマートフォン１を通信ネットワークと接続可能に構成し、上記プログラムコードを通信ネットワークを介して供給してもよい。この通信ネットワークは、プログラムコードを伝送可能であればよく、特に限定されない。例えば、インターネット、イントラネット、エキストラネット、ＬＡＮ、ＩＳＤＮ、ＶＡＮ、ＣＡＴＶ通信網、仮想専用網（Ｖｉｒｔｕａｌ  Ｐｒｉｖａｔｅ  Ｎｅｔｗｏｒｋ）、電話回線網、移動体通信網、衛星通信網等が利用可能である。また、この通信ネットワークを構成する伝送媒体も、プログラムコードを伝送可能な媒体であればよく、特定の構成または種類のものに限定されない。
【００９２】
例えば、ＩＥＥＥ１３９４、ＵＳＢ、電力線搬送、ケーブルＴＶ回線、電話線、ＡＤＳＬ（Ａｓｙｍｍｅｔｒｉｃ  Ｄｉｇｉｔａｌ  Ｓｕｂｓｃｒｉｂｅｒ  Ｌｉｎｅ）回線等の有線でも、ＩｒＤＡやリモコンのような赤外線、Ｂｌｕｅｔｏｏｔｈ（登録商標）、ＩＥＥＥ８０２．１１無線、ＨＤＲ（Ｈｉｇｈ  ＤＡＴＡ  Ｒａｔｅ）、ＮＦＣ（Ｎｅａｒ  Ｆｉｅｌｄ  Ｃｏｍｍｕｎｉｃａｔｉｏｎ）、ＤＬＮＡ（Ｄｉｇｉｔａｌ  Ｌｉｖｉｎｇ  Ｎｅｔｗｏｒｋ  Ａｌｌｉａｎｃｅ）、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【００９３】
本発明は上述した実施形態に限定されるものではなく、請求項に示した範囲で種々の変更が可能であり、実施形態にそれぞれ開示された技術的手段を適宜組み合わせて得られる実施形態についても本発明の技術的範囲に含まれる。
【産業上の利用可能性】
【００９４】
本発明は、携帯型情報処理装置の操作の利便性を向上することができる。
【符号の説明】
【００９５】
１  スマートフォン（携帯型情報処理装置）
２  本体
３  側面センサ
１０  制御部
１１  イベント判定処理部
１２  タイマ処理部
１３  タッチパネル
１５  メモリ（記憶部、記録媒体）
【図１】
2014016838.tif 000003
【図２】
2014016838.tif 000004
【図３】
2014016838.tif 000005
【図４】
2014016838.tif 000006
【図５】
2014016838.tif 000007
【図６】
2014016838.tif 000008
【図７】
2014016838.tif 000009